【手続補正書】
【提出日】平成30年2月6日(2018.2.6)
【手続補正１】
【補正対象書類名】明細書
【補正対象項目名】発明の名称
【補正方法】変更
【補正の内容】
【発明の名称】空調制御装置、方法、およびプログラム
【手続補正２】
【補正対象書類名】明細書
【補正対象項目名】０００１
【補正方法】変更
【補正の内容】
【０００１】
本発明の実施形態は、空調制御装置、方法、およびプログラムに関する。
【手続補正３】
【補正対象書類名】明細書
【補正対象項目名】０００６
【補正方法】変更
【補正の内容】
【０００６】
本発明が解決しようとする課題は、空調制御対象の複数の空調エリア内の人の動態を空調エリアごとに直接検出せずとも消費エネルギーを削減するための空調制御を行うことが可能な空調制御装置、方法、およびプログラムを提供することである。
【手続補正４】
【補正対象書類名】明細書
【補正対象項目名】０００７
【補正方法】変更
【補正の内容】
【０００７】
実施形態における空調制御装置は、空調の対象空間内を区分した空調エリアを分担して空調し、室内機、および各室内機に接続されて前記対象空間内における前記室内機の空調エリアと異なる区分の空調エリアを空調する室外機を含む空調設備を制御する空調制御装置であって、対象空間内の人の動態を対象空間内における前記室内機および前記室外機の空調エリアとそれぞれ異なる区分の検知エリアで分担して検知する動態検知手段と、動態検知手段による検知結果に基づいて、各空調エリアにおける人の動態を判定する判定手段と、判定手段による判定結果に基づいて、各空調エリアを空調する前記室内機および前記室外機をそれぞれ制御する制御手段とをもつ。
【手続補正５】
【補正対象書類名】明細書
【補正対象項目名】０００９
【補正方法】変更
【補正の内容】
【０００９】
以下、実施形態について図面を用いて説明する。  
（第１の実施形態）
まず、第１の実施形態について説明する。  
図１は、第１の実施形態における空調エネルギー管理システムの一例を示すブロック図である。  
図１に示すように、空調エネルギー管理システムは、空調システム１とエネルギー管理装置２とを有する。  
空調システム１は、建物内の空調の対象空間１０での適切な温度を維持するように空調設備を制御するための空調機制御装置１３を有する。
【手続補正６】
【補正対象書類名】明細書
【補正対象項目名】００４８
【補正方法】変更
【補正の内容】
【００４８】
ステップＳ４０３の第１の具体例として、室内機空調エリア毎の滞在・不在情報に基づいて室外機空調エリア毎の滞在・不在を判定することについて説明する。  
図９は、第１の実施形態における空調エネルギー管理システムの室内機空調エリア毎の滞在・不在情報に基づいて室外機空調エリアの滞在・不在の判定結果の一例を示す図である。  
図９（ａ）に示すように、ある室外機空調エリア内の複数の室内機空調エリアのうち人が滞在するエリアが１つでもあれば、演算処理部２６は、この室外機空調エリアに人が滞在すると判定する。一方、ある室外機空調エリア内の複数の室内機空調エリアのいずれにも人が滞在していなければ、演算処理部２６は、この室外機空調エリアでは人は不在と判定する。
【手続補正７】
【補正対象書類名】明細書
【補正対象項目名】００４９
【補正方法】変更
【補正の内容】
【００４９】
次に、ステップＳ４０３の第２の具体例として、室内機空調エリア毎の人数情報に基づいて室外機空調エリア毎の人数を判定することについて説明する。  
図１０は、第１の実施形態における空調エネルギー管理システムの室内機空調エリア毎の人数情報に基づいて室外機空調エリアの人数を算出した例を示す図である。  
演算処理部２６は、ある室外機空調エリア内のすべての室内機空調エリアの人数の和を室外機空調エリアの人数として演算する。図１０（ａ）に示すように、室外機空調エリアＡ内の室内機空調エリアａの人数が６人で、室内機空調エリアｂの人数が０で、室内機空調エリアｃの人数が３人で、室内機空調エリアｄの人数が２人である場合は、演算処理部２６は、これらの和の１１人を室外機空調エリアＡ内の人数として演算する。
【手続補正８】
【補正対象書類名】明細書
【補正対象項目名】００５０
【補正方法】変更
【補正の内容】
【００５０】
次に、演算処理部２６は、室外機空調エリア毎に、この室外機空調エリアに対応する室内機空調エリアの滞在・不在情報あるいは人数情報に基づいて、室外機１２の運転・停止あるいは負荷制限値を演算する。演算処理部２６は、この演算結果を演算結果記憶部２７に記憶する。
【手続補正９】
【補正対象書類名】明細書
【補正対象項目名】００６７
【補正方法】変更
【補正の内容】
【００６７】
それぞれの送風機エリアが対応する室外機空調エリアでは、６つの動態検知部１４ａ，１４ｂ，１４ｃ，１４ｄ，１４ｅ，１４ｆにより、各動態検知部１４に対応した動態検知エリア内の人の滞在・不在または人数が検知される。  
次に、エネルギー管理装置２の演算処理部２６の動作について説明する。  
図１５は、第３の実施形態における空調エネルギー管理システムによる処理手順の一例を示すフローチャートである。この処理は、演算処理部２６が一定周期に行う処理とする。  
まず、第１の実施形態で説明したステップＳ４０１からＳ４０２までの、室内機空調エリアごとの滞在・不在判定または人数検出がなされ、この検出結果に応じて、室内機１１の制御がなされる。
【手続補正１０】
【補正対象書類名】明細書
【補正対象項目名】００６８
【補正方法】変更
【補正の内容】
【００６８】
次に、第１の実施形態で説明したステップＳ４０３からＳ４０４までの、室外機空調エリアごとの滞在・不在判定または人数検出がなされ、この検出結果に応じて、室外機１２の制御がなされる。
【手続補正１１】
【補正対象書類名】明細書
【補正対象項目名】００７７
【補正方法】変更
【補正の内容】
【００７７】
送風機１６の制御のために、演算処理部２６は、送風機エリアの滞在・不在の判定結果あるいは人数の判定結果に基づいて、送風機１６の運転・停止、風量、風向などを送風機エリア毎に演算し、この演算結果を演算結果記憶部２７に記憶する。
【手続補正１２】
【補正対象書類名】明細書
【補正対象項目名】０１０２
【補正方法】変更
【補正の内容】
【０１０２】
以上説明した少なくとも一つの実施形態によれば、空調制御対象の複数の空調エリア内の人の動態を空調エリアごとに直接検出せずとも消費エネルギーを削減するための空調制御を行うことが可能な空調制御装置、方法、およびプログラムを提供することができる。
【手続補正１３】
【補正対象書類名】特許請求の範囲
【補正対象項目名】全文
【補正方法】変更
【補正の内容】
【特許請求の範囲】
【請求項１】
空調の対象空間内を区分した空調エリアを分担して空調し、室内機、および各室内機に接続されて前記対象空間内における前記室内機の空調エリアと異なる区分の空調エリアを空調する室外機を含む空調設備を制御する空調制御装置であって、
前記対象空間内の人の動態を前記対象空間内における前記室内機および前記室外機の空調エリアとそれぞれ異なる区分の検知エリアで分担して検知する動態検知手段と、
前記動態検知手段による検知結果に基づいて、各空調エリアにおける人の動態を判定する判定手段と、
前記判定手段による判定結果に基づいて、各空調エリアを空調する前記室内機および前記室外機をそれぞれ制御する制御手段とを備える空調制御装置。
【請求項２】
空調の対象空間内を区分した空調エリアを分担して空調する空調設備を制御する空調制御装置であって、
前記対象空間内の人の動態を前記対象空間内における空調エリアと異なる区分の複数の検知エリアでそれぞれ検知する動態検知手段と、
前記動態検知手段による検知結果に基づいて、前記検知エリアにおける人の動態を判定する判定手段と、
前記判定手段による判定結果に基づいて、前記検知エリアに対応する前記空調エリアを空調する空調設備を制御する制御手段とを備え、
前記検知エリアは、前記動態検知手段の設置数より多い数のエリアに区分される空調制御装置。
【請求項３】
前記判定手段は、
前記動態の判定対象としての空調エリアと重複する検知エリアについての前記動態検知手段による検知結果に基づいて、前記判定対象としての空調エリアにおける人の動態を判定する請求項１または請求項２に記載の空調制御装置。
【請求項４】
前記制御手段は、
前記判定手段による判定結果が各空調エリアにおける人の減少を示す場合に、各空調エリアを空調する空調設備を当該空調設備による消費エネルギーが減少するように制御する請求項１または請求項２に記載の空調制御装置。
【請求項５】
前記動態検知手段は、
前記対象空間内に人が滞在するか否かを前記検知エリアで分担して検知する請求項１または請求項２に記載の空調制御装置。
【請求項６】
前記動態検知手段は、
前記対象空間内の人数を前記検知エリアで分担して検知する請求項１または請求項２に記載の空調制御装置。
【請求項７】
前記制御手段は、
前記判定手段による判定結果に基づいて、各空調エリアを空調する空調設備の運転・停止、温度目標値、風向、風量の少なくともいずれかを制御する請求項１または請求項２に記載の空調制御装置。
【請求項８】
前記空調設備は、
前記空調エリアごとに設けられる室内機、および各室内機に接続される１台の室外機を含む請求項１または請求項２に記載の空調制御装置。
【請求項９】
前記制御手段は、
前記判定手段による判定結果に基づいて、各空調エリアを空調する室内機による温度目標値を、この空調エリアにおける快適性評価の値が変化するように制御する請求項８に記載の制御装置。
【請求項１０】
前記制御手段は、
前記判定手段による判定結果に基づいて、各空調エリアを空調する室外機の負荷制限値を制御する請求項８に記載の空調制御装置。
【請求項１１】
前記制御手段は、
前記判定手段による、何れかの空調エリアにかかる判定結果が変化した場合に、この空調エリアに隣接する空調エリアを空調する室内機を協調制御する請求項８に記載の空調制御装置。
【請求項１２】
前記動態検知手段は、
前記対象空間に対する人の出入りを示す情報、および前記対象空間内の照明の点灯の有無の少なくともいずれかに基づいて、前記対象空間内の人の動態を前記検知エリアで分担して検知する請求項１または請求項２に記載の空調制御装置。
【請求項１３】
前記動態検知手段は、
前記対象空間に出入りする人のスケジュール情報に基づいて、前記対象空間内の人の動態を前記検知エリアで分担して検知する請求項１または請求項２に記載の空調制御装置。
【請求項１４】
前記空調設備は、
前記各空調エリアの少なくとも一部に重複する複数の送風機エリアを分担して空調する送風機とをさらに含み、
前記制御手段は、
前記判定手段による判定結果に基づいて、各送風機エリアを空調する送風機を制御する請求項８に記載の空調制御装置。
【請求項１５】
前記対象空間内の温度を前記対象空間内における空調エリアと異なる区分の温度検知エリアで分担して検知する温度計測手段と、
前記対象空間内における温度分布の偏りが低減されるように、各空調エリアと重複する温度検知エリアについて前記温度計測手段により計測した温度値に基づいて、各空調エリアを空調する空調設備を制御する第２の制御手段とをさらに備えた請求項１または請求項２に記載の空調制御装置。
【請求項１６】
前記第２の制御手段は、
前記温度計測手段により計測した温度値と、この温度計測手段が設けられる位置を空調する空調設備の温度目標値との差分に応じて、この空調設備を制御する請求項１５に記載の空調制御装置。
【請求項１７】
前記空調設備は、
前記空調エリアごとに設けられる室内機、および各室内機に接続される１台の室外機であり、
前記第２の制御手段は、
各空調エリアと重複する温度検知エリアについて前記温度計測手段により計測した温度値に基づいて前記空調設備の制御を開始してから所定時間において、この空調設備に隣接する空調設備を協調制御する請求項１５に記載の空調制御装置。
【請求項１８】
前記第２の制御手段は、
前記温度計測手段のいずれかが前記温度の計測を行えない場合は、この温度計測手段に隣接する別の温度計測手段による温度計測値を用いて、前記計測を行なえない温度計測手段による温度計測値を求める請求項１５に記載の空調制御装置。
【請求項１９】
制御対象の前記空調設備が故障した場合に、この空調設備を制御することに代えて周囲の空調設備を制御する請求項１または請求項２に記載の空調制御装置。
【請求項２０】
対象空間内を区分した空調エリアを分担して空調し、室内機、および各室内機に接続されて前記対象空間内における前記室内機の空調エリアと異なる区分の空調エリアを空調する室外機を含む空調設備を制御する空調制御装置に適用される空調制御方法であって、
前記対象空間内の人の動態を前記対象空間内における前記室内機および前記室外機の前記空調エリアとそれぞれ異なる区分の検知エリアで分担して検知し、
この検知した結果に基づいて、各空調エリアにおける人の動態を判定し、
この判定結果に基づいて、各空調エリアを空調する前記室内機および前記室外機をそれぞれ制御する空調制御方法。
【請求項２１】
対象空間内を区分した空調エリアを分担して空調する空調設備を制御する空調制御装置に適用される空調制御方法であって、
前記対象空間内の人の動態を前記対象空間内における前記空調エリアと異なる区分の複数の検知エリアで動態検知手段によりそれぞれ検知し、
この検知した結果に基づいて、前記検知エリアにおける人の動態を判定し、
この判定結果に基づいて、前記検知エリアに対応する前記空調エリアを空調する空調設備を制御する方法であり、前記検知エリアは、前記動態検知手段の設置数より多い数のエリアに区分される、空調制御方法。
【請求項２２】
対象空間内を区分した空調エリアを分担して空調し、室内機、および各室内機に接続されて前記対象空間内における前記室内機の空調エリアと異なる区分の空調エリアを空調する室外機を含む空調設備を制御する空調制御装置の一部分として動作するコンピュータに用いられるプログラムであって、
前記コンピュータを、
前記対象空間内の人の動態を前記対象空間内における前記室内機および前記室外機の前記空調エリアと異なる区分の検知エリアで分担して検知する動態検知手段、
前記動態検知手段による検知結果に基づいて、各空調エリアにおける人の動態を判定する判定手段、および
前記判定手段による判定結果に基づいて、各空調エリアを空調する前記室内機および前記室外機をそれぞれ制御する制御手段として機能させるための空調制御プログラム。
【請求項２３】
対象空間内を区分した空調エリアを分担して空調する空調設備を制御する空調制御装置の一部分として動作するコンピュータに用いられるプログラムであって、
前記コンピュータを、
前記対象空間内の人の動態を前記対象空間内における前記空調エリアと異なる区分の複数の検知エリアでそれぞれ検知する動態検知手段、
前記動態検知手段による検知結果に基づいて、前記検知エリアにおける人の動態を判定する判定手段、および
前記判定手段による判定結果に基づいて、前記検知エリアに対応する前記空調エリアを空調する空調設備を制御する制御手段として機能させるためのプログラムであり、前記検知エリアは、前記動態検知手段の設置数より多い数のエリアに区分される、空調制御プログラム。